(57)【要約】      （修正有）【課題】スペースを確保できない現場において雨風から資材を保護することを可能にすると共に、資材の出し入れを容易に行うことを可能にする資材カバーを提供する。【解決手段】資材カバー１は、前後に沿って互いに平行で水平に配置された対のパイプＰ１，Ｐ２を備えている足場Ｓ１の内側に設置される。この資材カバー１は、矩形状を有し、対のパイプＰ１，Ｐ２に架け渡される天井布５と、各々が矩形状を有し、天井布の前後左右の端縁に吊り下げられることで個別に捲り上げることが可能な前後左右の側方布３と、を備えている。【選択図】図３
0003214348.tif 000002
【実用新案登録請求の範囲】
【請求項１】
前後に沿って互いに平行で水平に配置された対のパイプを備えている足場の内側に設置される資材カバーであって、
矩形状を有し、前記対のパイプに架け渡される天井布と、
各々が矩形状を有し、前記天井布の前後左右の端縁に吊り下げられることで個別に捲り上げることが可能な前後左右の側方布と、を備えていることを特徴とする
資材カバー。
【請求項２】
左右の前記側方布が前記天井布と一体に形成されている本体カバーを構成していると共に、前後の前記側方布が前記本体カバーに対して両開きの線ファスナーで連結される資材カバーであって、
前後の一方の前記側方布は、上方及び左右の端縁にわたって、前記線ファスナーを構成するスライダー付きの第１務歯列を有し、
前後の他方の前記側方布は、上方及び左右の端縁にわたって、前記第１務歯列と共に前記線ファスナーを構成するスライダー無しの第２務歯列を有し、
前記本体カバーは、前後の一方の端縁にわたって前記第２務歯列を有していると共に、前後の他方の端縁にわたって前記第１務歯列を有し、
複数の前記本体カバーが互いに前後に連結可能であることを特徴とする
請求項１に記載の資材カバー。
【請求項３】
前記天井布は、該天井布の上面における前方の左右、及び後方の左右の各々に、ゴム紐を引っ掛けるためのペケットの孔を有していることで、前記ペケットの孔に引っ掛けられた前記ゴム紐で前記対のパイプに吊り下げられることを特徴とする
請求項１又は２に記載の資材カバー。
【請求項４】
前記足場は、作業床を備え、
前記天井布は、前記作業床の下方に架け渡されることを特徴とする
請求項１〜３のいずれかに記載の資材カバー。
【考案の詳細な説明】
【技術分野】
【０００１】
本考案は、建築現場等において雨風から資材を保護する資材カバーに関する。
【背景技術】
【０００２】
建築現場等において雨風から資材を保護するために、資材テントが設置されることがある（例えば、特許文献１参照）。このような資材テントに資材を収納した場合、必要な資材を必要な数量だけ取り出すことができる。
【先行技術文献】
【特許文献】
【０００３】
【特許文献１】特開２０００−１７９１８７号公報
【考案の概要】
【考案が解決しようとする課題】
【０００４】
しかしながら、上記の資材テントは、狭小の現場やリフォーム現場等、スペースを確保できない現場に設置できない。このような場合、ブルーシート等で資材を覆うことで雨風から資材を保護することになるが、資材の出し入れに手間を要する。
【０００５】
本考案は、上記課題を鑑みてなされたものであり、スペースを確保できない現場において雨風から資材を保護することを可能にすると共に、資材の出し入れを容易に行うことを可能にする資材カバーを提供することを目的とする。
【課題を解決するための手段】
【０００６】
（１）本考案は、前後に沿って互いに平行で水平に配置された対のパイプを備えている足場の内側に設置される資材カバーであって、矩形状を有し、前記対のパイプに架け渡される天井布と、各々が矩形状を有し、前記天井布の前後左右の端縁に吊り下げられることで個別に捲り上げることが可能な前後左右の側方布と、を備えていることを特徴とする資材カバーである。
【０００７】
本考案によれば、足場の下の空きスペースに資材を収納して雨風から資材を保護することができると共に、前後左右のいずれかの側方布を捲り上げるだけで資材の出し入れを行うことができる。
【０００８】
（２）本考案はまた、左右の前記側方布が前記天井布と一体に形成されている本体カバーを構成していると共に、前後の前記側方布が前記本体カバーに対して両開きの線ファスナーで連結される資材カバーであって、前後の一方の前記側方布は、上方及び左右の端縁にわたって、前記線ファスナーを構成するスライダー付きの第１務歯列を有し、前後の他方の前記側方布は、上方及び左右の端縁にわたって、前記第１務歯列と共に前記線ファスナーを構成するスライダー無しの第２務歯列を有し、前記本体カバーは、前後の一方の端縁にわたって前記第２務歯列を有していると共に、前後の他方の端縁にわたって前記第１務歯列を有し、複数の前記本体カバーが互いに前後に連結可能であることを特徴とする上記（１）に記載の資材カバーである。
【０００９】
上記考案によれば、線ファスナーを開閉するだけで複数の本体カバーを連結することができる。このため、資材の数量や大きさ、足場の前後方向の長さに応じて、資材カバーの前後方向の長さを容易に設定することができる。
【００１０】
（３）本考案はまた、前記天井布は、該天井布の上面における前方の左右、及び後方の左右の各々に、ゴム紐を引っ掛けるためのペケットの孔を有していることで、前記ペケットの孔に引っ掛けられた前記ゴム紐で前記対のパイプに吊り下げられることを特徴とする上記（１）又は（２）に記載の資材カバーである。
【００１１】
上記考案によれば、ゴム紐で吊り下げるだけで足場の内側に容易に設置することができると共に、天井布の上に雨水が溜まることを防止できる。
【００１２】
（４）本考案はまた、前記足場は、作業床を備え、前記天井布は、前記作業床の下方に架け渡されることを特徴とする上記（１）〜（３）のいずれかに記載の資材カバーである。
【００１３】
仮に、資材カバーが作業床を覆うものとすると、当該作業床の上で作業する場合、資材カバーを踏み付けることになるが、上記考案によれば、資材カバーが踏み付けられることはなく、踏付けによる劣化を防止できる。
【考案の効果】
【００１４】
本考案の資材カバーによれば、スペースを確保できない現場において雨風から資材を保護することを可能にすると共に、資材の出し入れを容易に行うことを可能にすることができる。
【図面の簡単な説明】
【００１５】
【図１】本考案の実施形態に係る資材カバーを示す展開図である。
【図２】組み立てられた状態の資材カバーを示す斜視図である。
【図３】足場に設置された状態の資材カバーを示す正面図である。
【図４】別の実施形態に係る資材カバーを示す展開図である。
【考案を実施するための形態】
【００１６】
以下、本考案の実施形態に係る資材カバーについて詳細に説明する。
【００１７】
まず、図１〜図３を用いて、資材カバー１の構成について説明する。図１は、資材カバー１を示す展開図である。図２は、組み立てられた状態の資材カバー１を示す斜視図である。図３は、足場Ｓ１に設置された状態の資材カバー１を示す正面図である。なお、図１〜図３及び後述の図４において、一部の構成を適宜省略して、図面を簡略化する。
【００１８】
図面において、資材カバー１及び足場Ｓ１の前方を矢印ＦＷで示し、資材カバー１及び足場Ｓ１の後方を矢印ＢＷで示し、資材カバー１及び足場Ｓ１の左方をＬＳで示し、資材カバー１及び足場Ｓ１の右方を矢印ＲＳで示す。
【００１９】
図１〜図３に示す資材カバー１は、建築現場等に設置されている足場Ｓ１の内側に設置され、内部に収納した資材を雨風から保護する。足場Ｓ１は、建築現場等で一般的に設置されている単管足場であり、前後に沿って互いに平行で水平に配置された対のパイプ（単管パイプ）Ｐ１，Ｐ２を備えている。
【００２０】
資材カバー１は、１枚以上の本体カバー２と、前方ＦＷの側方布３と、後方ＢＷの側方布４と、を備えている。
【００２１】
本体カバー２は、天井布５と、左方ＬＳの側方布６と、右方ＲＳの側方布７と、が一体に形成されている布であり、縦１８２０ｍｍ×横２２３０ｍｍの矩形状を有している。この本体カバー２は、前方ＦＷの端縁にわたって、両開きの線ファスナー８を構成するスライダー無しの務歯列（第２務歯列）８ａを有していると共に、後方ＢＷの端縁にわたって、線ファスナー８を構成するスライダー付きの務歯列（第１務歯列）８ｂを有している。本体カバー２の前方ＦＷの端縁には、線ファスナー８によって、前方ＦＷの側方布３が連結されたり、他の本体カバー２の後方ＢＷの端縁が連結されたりする。本体カバー２の後方ＢＷの端縁には、線ファスナー８によって、後方ＢＷの側方布４が連結されたり、他の本体カバー２の前方ＦＷの端縁が連結されたりする。
【００２２】
天井布５は、縦１８２０ｍｍ×横４９０ｍｍの矩形状を有し、対のパイプＰ１，Ｐ２に架け渡される。この天井布５は、当該天井布５の上面における前方ＦＷの左右、前後方向の途中の左右、後方ＢＷの左右の各々にペケット９を有している。このペケット９は、天井布５の上面における前方ＦＷの左右、及び後方ＢＷの左右の各々、すなわち天井布５の上面における四隅に設けられていればよく、天井布５の前後方向の長さに応じて前後方向の途中の左右に設けられていてもよい。天井布５は、ペケット９の孔９ａに引っ掛けられたフック付きのゴム紐ＲＳ１で対のパイプＰ１，Ｐ２に吊り下げられる。このような天井布５は、足場Ｓ１における作業床（図示省略）の下方に資材を収納する場合、作業床を覆うことはなく、作業床の下方に架け渡される。
【００２３】
左方ＬＳの側方布６は、縦１８２０ｍｍ×横８７０ｍｍの矩形状を有し、対のパイプＰ１，Ｐ２に架け渡された天井布５の左方ＬＳの端縁に吊り下げられることで個別に捲り上げることが可能になる。この左方ＬＳの側方布６は、当該側方布６の外面における前方ＦＷの下方、前後方向の途中の下方、後方ＢＷの下方の各々にペケット９を有していると共に、前方ＦＷの下端、前後方向の途中の下端、後方ＢＷの下端の各々に紐用孔１０を有している。左方ＬＳの側方布６は、ペケット９の孔９ａ又は紐用孔１０に通されたゴム紐ＲＳ２で足場Ｓ１に固定される。
【００２４】
右方ＲＳの側方布７は、縦１８２０ｍｍ×横８７０ｍｍの矩形状を有し、対のパイプＰ１，Ｐ２に架け渡された天井布５の右方ＲＳの端縁に吊り下げられることで個別に捲り上げることが可能になる。この右方ＲＳの側方布７は、当該側方布７の外面における前方ＦＷの下方、前後方向の途中の下方、後方ＢＷの下方の各々にペケット９を有していると共に、前方ＦＷの下端、前後方向の途中の下端、後方ＢＷの下端の各々に紐用孔１０を有している。このような右方ＲＳの側方布７は、ペケット９の孔９ａ又は紐用孔１０に通されたゴム紐ＲＳ２で足場Ｓ１に固定される。
【００２５】
前方ＦＷの側方布３は、本体カバー２に対して線ファスナー８で連結される布であり、縦８７０ｍｍ×横４９０ｍｍの矩形状を有している。この前方ＦＷの側方布３は、上方及び左右の三方の端縁にわたって、スライダー付きの務歯列８ｂを有しており、ファスナー８によって、本体カバー２の前方ＦＷの端縁に連結される。このような前方ＦＷの側方布３は、対のパイプＰ１，Ｐ２に架け渡された天井布５の前方ＦＷの端縁に吊り下げられることで個別に捲り上げることが可能になる。また、前方ＦＷの側方布３は、左方ＬＳの下端、右方ＲＳの下端の各々に紐用孔１０を有している。このような前方ＦＷの側方布３は、紐用孔１０に通されたゴム紐ＲＳ２で足場Ｓ１に固定される。
【００２６】
後方ＢＷの側方布４は、本体カバー２に対して線ファスナー８で連結される布であり、縦８７０ｍｍ×横４９０ｍｍの矩形状を有している。この後方ＢＷの側方布４は、上方及び左右の三方の端縁にわたって、スライダー無しの務歯列８ａを有しており、ファスナー８によって、本体カバー２の後方ＢＷの端縁に連結される。このような後方ＢＷの側方布４は、対のパイプＰ１，Ｐ２に架け渡された天井布５の後方ＢＷの端縁に吊り下げられることで個別に捲り上げることが可能になる。また、後方ＢＷの側方布４は、左方ＬＳの下端、右方ＲＳの下端の各々に紐用孔１０を有している。このような後方ＢＷの側方布４は、紐用孔１０に通されたゴム紐ＲＳ２で足場Ｓ１に固定される。
【００２７】
このような資材カバー１によれば、足場Ｓ１の下の空きスペースに資材を収納して雨風から資材を保護することができると共に、前後左右のいずれかの側方布３，４，６，７を捲り上げるだけで資材の出し入れを行うことができる。すなわち、資材カバー１によれば、スペースを確保できない現場（例えば、狭小の現場やリフォーム現場等）において雨風から資材を保護することを可能にすると共に、資材の出し入れを容易に行うことを可能にすることができる。
【００２８】
また、資材カバー１によれば、線ファスナー８を開閉するだけで複数の本体カバー５を連結することができる。このため、資材の数量や大きさ、足場Ｓ１の前後方向の長さに応じて、資材カバー１の前後方向の長さを容易に設定することができる。
【００２９】
また、資材カバー１によれば、ゴム紐ＲＳ１で吊り下げるだけで足場Ｓ１の内側に容易に設置することができると共に、天井布の上に雨水が溜まることを防止できる。
【００３０】
仮に、資材カバーが作業床を覆うものとすると、当該作業床の上で作業する場合、資材カバーを踏み付けることになるが、資材カバー１によれば、当該資材カバー１が踏み付けられることはなく、踏付けによる劣化を防止できる。
【００３１】
本考案は、上記実施形態に限られるものではなく、その趣旨及び技術思想を逸脱しない範囲で種々の変形が可能である。すなわち、各構成の位置、大きさ、長さ、数量、形状、材質などは適宜変更できる。
【００３２】
すなわち、上記実施形態では、スライダー無しの務歯列８ａが、後方ＢＷの側方布４における上方及び左右の三方の端縁と、本体カバー２の前方ＦＷの端縁と、に設けられていると共に、スライダー付きの務歯列８ｂが、前方ＦＷの側方布３における上方及び左右の三方の端縁と、本体カバー２の後方ＢＷの端縁と、に設けられている場合を例に説明したが、本発明はこれに限定されるものではない。本発明に係る資材カバーは、上記実施形態におけるスライダー無しの務歯列８ａと、スライダー有りの務歯列８ｂと、を互いに置き換えて設けられているようにしてもよい。
【００３３】
すなわち、上記実施形態では、縦１８００ｍｍ×横６００ｍｍ×高さ９００ｍｍの寸法で組まれた足場Ｓ１に設置する資材カバー１を例に説明したが、本発明はこれに限定されるものではない。本発明は、縦１８００ｍｍ×横９００ｍｍ×高さ９００ｍｍの寸法で組まれた足場Ｓ１に設置する資材カバー１’であってもよい。
【００３４】
次に、別の実施形態に係る資材カバー１’の構成について説明する。なお、別の実施形態の説明において、先に説明した実施形態と共通する構成については同一の符号を付す等することで、その説明を省略する。図４は、別の実施形態に係る資材カバー１’を示す展開図である。
【００３５】
図４に示すように、資材カバー１’は、１枚以上の本体カバー２’と、前方ＦＷの側方布３’と、後方ＢＷの側方布４’と、を備えている。
【００３６】
本体カバー２’は、天井布５’と、左方ＬＳの側方布６と、右方ＲＳの側方布７と、が一体に形成されている布であり、縦１８２０ｍｍ×横２５４０ｍｍの矩形状を有している。
【００３７】
天井布５’は、縦１８２０ｍｍ×横８００ｍｍの矩形状を有している。この天井布５’は、当該天井布５’の上面における前方ＦＷの左右、前後方向の途中の左右、後方ＢＷの左右、左右方向の途中の前後の各々にペケット９を有している。
【００３８】
前方ＦＷの側方布３’は、縦８７０ｍｍ×横８００ｍｍの矩形状を有している。この前方ＦＷの側方布３’は、左方ＬＳの下端、左右方向の途中の下端、右方ＲＳの下端の各々に紐用孔１０を有している。
【００３９】
後方ＢＷの側方布４’は、縦８７０ｍｍ×横８００ｍｍの矩形状を有している。この前方ＦＷの側方布３’は、左方ＬＳの下端、左右方向の途中の下端、右方ＲＳの下端の各々に紐用孔１０を有している。
【００４０】
１，１’  資材カバー
２，２’  本体カバー
３，３’，４，４’，６，７  側方布
５，５’  天井布
８  線ファスナー
８ａ  務歯列（第２務歯列）
８ｂ  務歯列（第１務歯列）
９  ペケット
９ａ  孔
１０  紐用孔
Ｓ１  足場
Ｐ１，Ｐ２  パイプ
ＲＳ１，ＲＳ２  ゴム紐
ＦＷ  前方
ＢＷ  後方
ＬＳ  左方
ＲＳ  右方
【図１】
0003214348.tif 000003
【図２】
0003214348.tif 000004
【図３】
0003214348.tif 000005
【図４】
0003214348.tif 000006